(57)【要約】【課題】  重いパネルでも施工性及びメンテナンス性の良いパネル構造体の提供。【解決手段】  取付フレーム１と、複数のパネル体２，２，…を備え、パネル体２は、上部と下部とにフレーム３，４を有し、下部のフレーム４に取付フレーム１への引掛け部５を有すると共に、上部と下部のフレーム３，４にブラケット６，７をそれぞれ有し、引掛け部５を取付フレーム１に引っ掛けた状態で、各ブラケット６，７を上下に隣接するパネル体の隙間８で前方からのネジ９で取付フレーム１に固定してある。【選択図】      図１
2015017402.tif 000002
【特許請求の範囲】
【請求項１】
取付フレームと、複数のパネル体を備え、パネル体は、上部と下部とにフレームを有し、下部のフレームに取付フレームへの引掛け部を有すると共に、上部と下部のフレームにブラケットをそれぞれ有し、引掛け部を取付フレームに引っ掛けた状態で、各ブラケットを上下に隣接するパネル体の隙間で前方からのネジで取付フレームに固定してあることを特徴とするパネル構造体。
【発明の詳細な説明】
【技術分野】
【０００１】
本発明は、建物の内装や外装に用いられるパネル構造体に関する。
【背景技術】
【０００２】
従来のビル等の内外装材として、軽いパネルをストリンガーに係止して取付けたものがあった（例えば、非特許文献１参照。）。この構造は重いパネルには適しておらず、重いパネルでも施工性及びメンテナンス性の良いものが求められた。
【先行技術文献】
【特許文献】
【０００３】
【非特許文献１】三協立山アルミ株式会社発行のカタログ「内外装建材総合カタログ」（カタログＮｏ．ＳＴＢ０１５５Ｄ Ｓ．０８．０３−０１０）、第４版、２００８年３月、ｐ．５５
【発明の概要】
【発明が解決しようとする課題】
【０００４】
本発明は以上に述べた実情に鑑み、重いパネルでも施工性及びメンテナンス性の良いパネル構造体の提供を目的とする。
【課題を解決するための手段】
【０００５】
上記の課題を達成するために請求項１記載の発明によるパネル構造体は、取付フレームと、複数のパネル体を備え、パネル体は、上部と下部とにフレームを有し、下部のフレームに取付フレームへの引掛け部を有すると共に、上部と下部のフレームにブラケットをそれぞれ有し、引掛け部を取付フレームに引っ掛けた状態で、各ブラケットを上下に隣接するパネル体の隙間で前方からのネジで取付フレームに固定してあることを特徴とする。
【発明の効果】
【０００６】
請求項１記載の発明によるパネル構造体は、パネル体の下部のフレームに取付フレームへの引掛け部を有すると共に、上部と下部のフレームにブラケットをそれぞれ有し、引掛け部を取付フレームに引っ掛けた状態で、各ブラケットを上下に隣接するパネル体の隙間で前方からのネジで取付フレームに固定することで、正面側のみからの作業でパネル体の取付け・取外しが行え、尚且つパネル体を取付フレームに仮置きできるため、重いパネルであっても施工性及びメンテナンス性が良い。
【図面の簡単な説明】
【０００７】
【図１】図２のＡ−Ａ断面図である。
【図２】一枚のパネル体を拡大して示す正面図である。
【図３】図２のＸ部拡大図である。
【図４】本発明のパネル構造体の一実施形態を示す正面図である。
【図５】図４のＢ−Ｂ断面図である。
【図６】図４のＣ−Ｃ断面図である。
【図７】図６のＤ−Ｄ断面図である。
【図８】パネル体を取付けるときの手順を示す縦断面図である。
【図９】パネル体を取外すときの手順を示す縦断面図である。
【発明を実施するための形態】
【０００８】
以下、本発明の実施の形態を図面に基づいて説明する。図１〜７は、本発明のパネル構造体の一実施形態を示している。本パネル構造体は、駅の構内に床から天井に亘って設置されるものであり、図４〜６に示すように、躯体１０に固定して方立１１が左右方向に間隔をおいて設置され、各方立１１間に取付フレーム１が上下方向に間隔をおいて取付けられ、取付フレーム１の前方にガラスパネル１２を用いた大型のパネル体２が取付けてある。
方立１１は、アルミニウム合金の中空の押出形材よりなり、図５に示すように、前方に６°倒れるように傾斜して配置され、上下端部をブラケット１３ａ，１３ｂで躯体１０に固定してある。パネル体２は、上下方向に９枚、左右方向に５枚並べて取付けてあり、一つのパネル体２の大きさは幅１８００ｍｍ、高さが５００ｍｍで、重量は約７５ｋｇある。上下に隣接するパネル体２，２の間には２０ｍｍの隙間８が設けてあり、左右に隣接するパネル体２，２の間には１５ｍｍの隙間１４が設けてある。
【０００９】
取付フレーム１は、アルミニウム合金の押出形材よりなり、図１，７に示すように、略矩形断面の中空部１５と、中空部１５の前面下部より前方に突出する支持片１６と、中空部１５の下面の前縁より下方に垂下する垂下片１７を有している。中空部１５は、上面の前寄りの位置に係止溝１８が形成してあり、下面にボルト保持溝１９が形成してある。支持片１６の先端部には、突起２０が上方に突出して設けてある。垂下片１７の後側面には、長手方向の所定の位置にナット２１を溶接した裏板２２が取付けてある。垂下片１７の下端部には、当接部２３が前方に突出して設けてある。
この取付フレーム１は、図６，７に示すように、方立１１の側面にボルト・ナット２４で取付けたＬ型金具２５に中空部１５の端部を載置し、ボルト保持溝１９に保持したボルト２６とナット２７とで固定して取付けてある。
【００１０】
パネル体２は、図１に示すように、上部と下部とにアルミニウム合金の押出形材よりなるフレーム３，４を有している。上部のフレーム３は、ガラスパネル１２の小口を覆う見込み壁２８と、ガラスパネル１２の後方に位置する略矩形断面の中空部２９を有している。中空部２９には、ボルト保持溝３０が後側に開口して設けてあり、中空部２９の後面にはボルト保持溝３０に保持したボルト３１とナット３２とで固定して、板状のブラケット６が上方に突出して設けてある。ブラケット６は、取付フレーム１の垂下片１７の前面に当接し、上下に隣接するパネル体２，２の隙間８に前方から挿入した六角穴付きボルト９を垂下片１７裏側に取付けた裏板２２のナット２１に捩じ込むことで固定されている。また、取付フレーム１の垂下片１７の先端部に設けた当接部２３が、上部のフレーム３の後面に当接している。
下部のフレーム４は、ガラスパネル１２の小口を覆う見込み壁３３と、ガラスパネル１２の後方に位置する略矩形断面の中空部３４と、中空部３４上面の後縁より後側に突出して設けた引掛け部５とを有している。中空部３４の下面の前縁には、取付フレーム１の支持片１６の先端部の突起２０が係止する係止溝３５が形成してある。引掛け部５の先端には、突起３６が下方に突出して設けてあり、この突起３６が取付フレーム１の係止溝１８に係止している。中空部３４には、ボルト保持溝３７が後側に開口して設けてあり、中空部３４の後面にはボルト保持溝３７に保持したボルト３８とナット３９とで固定して、板状のブラケット７が下方に突出して設けてある。ブラケット７は、取付フレーム１の垂下片１７の前面に当接し、上下に隣接するパネル体２，２の隙間８に前方から挿入した六角穴付きボルト９を垂下片１７裏側に取付けた裏板２２のナット２１に捩じ込むことで固定されている。見込み壁３３には、水抜き孔５１が設けてある。
【００１１】
ガラスパネル１２は、図１に示すように、二枚の透明な板ガラス４０，４０を樹脂接着剤４１ａで接着し、さらにその前面に模様が付されたアートガラス４２を樹脂接着剤４１ｂで接着したものとなっている。上部及び下部フレーム３，４には、見込み壁２８，３３に板ガラス４０，４０の間に差し込まれる差込片４３が一体に形成してあり、差込片４３を板ガラス４０，４０間に差し込んで樹脂接着剤４１ａで接着することにより、上部及び下部フレーム３，４がガラスパネル１２と一体化してある。
【００１２】
上部のブラケット６と下部のブラケット７とは、図２，３に示すように、左右方向にずらして配置してある。これにより、上下に隣接する上側のパネル体２の下部のブラケット７と下側のパネル体２の上部のブラケット６とが、互いに干渉しないで左右に並んで配置されている。なお取付フレーム１は、上部及び下部のブラケット６，７と干渉する部位に切欠きが設けてある。
【００１３】
上部のフレーム３と下部のフレーム４とは、図１，６に示すように、長手方向の端部を繋ぎ材４４で連結してあり、これによりパネル体２のねじれ変形を防止している。繋ぎ材４４は、金属の帯状の板の上下端部を前方に折り曲げて形成してあり、ガラスパネル１２の裏面と繋ぎ材４４との間には隙間４５が開けられている。このようにパネル体２は、側部にフレームを有さず、且つ繋ぎ材４４はガラスパネル１２の後方に離間しているため、図６に示すように、エアダスター４６に取付けたフレキシブルノズル４７を左右に隣接するパネル体２，２の隙間１４に差し込むことで、パネル体２を取外すことなく、パネル体２裏側のガラス面やフレーム３，４等に溜まったゴミや虫の死骸等をエアーで吹き飛ばして掃除することができる。繋ぎ材４４は正面側からは見えないので、意匠性が良い。
【００１４】
取付フレーム１には、図１に示すように、ＬＥＤを用いた照明４８が長手方向に沿って取付けてあり、ガラスパネル１２が裏面側の周囲からＬＥＤの光で照らされることで、アートガラス４２の模様が浮き上がって見えるようになっている。パネル体２が取付フレーム１の前方に持ち出して取付けてあるため、取付フレーム１の影がガラス面に映り込むのを防止できる。
【００１５】
次に、パネル体２を取付け・取外しするときの手順を説明する。パネル体２を取付ける際には、図８（ａ）に示すように、上部及び下部の各ブラケット６，７のボルト穴４９にアイボルト５０を差し込み、ホイスト（フック）等を使用した玉掛けによりパネル体２を楊重し、下部のフレーム４の引掛け部５を取付フレーム１の中空部１５上面に、取付フレーム１の支持片１６を下部のフレーム４の中空部３４下面にそれぞれ引掛ける。その後、パネル体２を後方に押し込むと、図８（ｂ）に示すように、引掛け部５先端の突起３６が取付フレーム１の係止溝１８に係止すると共に、支持片１６の先端の突起２０が下部のフレーム４の係止溝３５に係止して、パネル体２の下部が位置決めされた状態でパネル体２が取付フレーム１に仮置きされる。その後、アイボルト５０を抜き取り、各ブラケット６，７を上下に隣接するパネル体２，２の隙間８で前方からの六角穴付きボルト９で取付フレーム１に固定する。
パネル体２を取外すときには、図９（ａ）に示すように、各ブラケット６，７を固定している六角穴付きボルト９を抜き取った上で、そのボルト穴４９にアイボルト５０を差し込み、アイボルト５０を利用して玉掛けする。そして、パネル体２を少し上に持ち上げてから前方へ引き出すことで、下部のフレーム４の引掛け部５の先端の突起３６が取付フレーム１の係止溝１８から外れると共に、取付フレーム１の支持片１６の先端の突起２０が下部のフレーム４の係止溝３５から外れる。その後、図９（ｂ）に示すように、パネル体２を若干傾けるようにしながら前方に引き出すことで、パネル体２を外すことができる。
【００１６】
以上に述べたように本パネル構造体は、パネル体２の下部のフレーム４に取付フレーム１への引掛け部５を有すると共に、上部と下部のフレーム３，４にブラケット６，７をそれぞれ有し、引掛け部５を取付フレーム１に引っ掛けた状態で、各ブラケット６，７を上下に隣接するパネル体２，２の隙間８で前方からの六角穴付きボルト９で取付フレーム１に固定することで、正面側のみからの作業でパネル体２の取付け・取外しが行え、尚且つパネル体２を取付フレーム１に仮置きできるため、重いパネルであっても施工性及びメンテナンス性が良い。ブラケット６，７のボルト穴４９にアイボルト５０を差し込むことで、パネル体２を容易に吊り上げることができる。
さらに、下部のフレーム４の引掛け部５を取付フレーム１の係止溝１８に引っ掛けると同時に、パネル体２下縁部の係止溝３５に取付フレーム１の支持片１６を引掛けることで、パネル体２の取付けの位置決めができると共に、風圧等で落下しないように係止させることができる。またこのように、引掛け部５と支持片１６の２か所で係止することで、パネル体２の荷重が分散されるため、両者の引掛け部分を小さく（先端の突起２０，３６を小さく）することができ、パネル体２を外す際のパネル体２の持ち上げ量を小さくできるため、パネル体２をパネル間の小さな隙間８で固定できる。
パネル体２の上部のブラケット６と下部のブラケット７を左右にずらして配置したことで、上下に隣接するパネル体２，２の間の隙間８を極力小さくでき、しかも上側のパネル体２の下部のブラケット７と下側のパネル体２の上部のブラケット６とが重ならないため、メンテナンスの必要なパネル体２だけを前方から取付け・取外しができる。
取付フレーム１は、垂下片１７を有することで、取付フレーム１の荷重を減らすことができると共に、ブラケット６，７を固定する裏板２２が取付けしやすい。
また本パネル構造体は、パネル体２を取付フレーム１の前方に持ち出して取付けてあり、パネル体２の上縁部が取付フレーム１に当接していることで、上下のフレーム３，４を薄くできると共に、上下のパネル体２，２間の隙間８を小さくできるので、パネル体２の連結部が目立たず、意匠性が良いと共に、パネル体２下部の引掛け部５を取付フレーム１に引っ掛け且つパネル体２上縁部を取付フレーム１に当接させて、上下のブラケット６，７を取付フレーム１に固定するだけでパネル体２の取付けが行えるため、施工性、メンテナンス性が良い。また、取付フレーム１に照明を取付けることができる。
左右に隣接するパネル体２，２の間に隙間１４が設けてあることで、パネル体２の熱延びや地震によるずれを吸収できる。またこの隙間１４にノズル４７を差し込んでエアーで埃等を吹き飛ばすことで、パネル体２を取外すことなくパネル体２裏側の掃除が行える。
【００１７】
本発明は以上に述べた実施形態に限定されない。パネル体の形状、材質、大きさ、配置等は、適宜変更することができる。パネル体の上部・下部フレーム、取付フレームの断面形状は、適宜変更することができる。本発明のパネル構造体は、建物の内装や外装に幅広く用いることができる。
【符号の説明】
【００１８】
１  取付フレーム
２  パネル体
３，４  フレーム
５  引掛け部
６，７  ブラケット
８  上下のパネル体間の隙間
９  六角穴付きボルト（ネジ）
【図１】
2015017402.tif 000003
【図２】
2015017402.tif 000004
【図３】
2015017402.tif 000005
【図４】
2015017402.tif 000006
【図５】
2015017402.tif 000007
【図６】
2015017402.tif 000008
【図７】
2015017402.tif 000009
【図８】
2015017402.tif 000010
【図９】
2015017402.tif 000011